Podtech/llm-jp-corpus-v4-ja_patent huggingface dataset:
(57)【要約】【課題】ペットボトル若しくはボトル缶入り飲料の持つ携帯性等の利便性を損なう事無く、主にスナック菓子類を姶めとする多用途な物品と組み合わせた商品の提供。【解決手段】底部にペットボトルキャップの構造を有し若しくは、底部を既成のボトル缶のキャップ部にはめ込む事でペットボトル及びボトル缶と一体化する半球形状の本体と透明プラスチック製の半球形蓋部材を組み合わせ、内部には主にスナック菓子類を始めとする多用途な物品を収納でき、外観も視覚的に目立つ球形の容器を利用する。【選択図】　　図３
0003097026.tif 000002
【実用新案登録請求の範囲】
【請求項１】
底部にペットボトルキャップの構造を有し、それ自体がペットボトルキャップと成りうる事ができ、主にスナック菓子類をはじめ多様途な物品等を収納しボトル飲料と組み合わせた商品として販売するための容器。
【請求項２】
底部にボトル缶のキャップと同じ形状の窪みを有し、ボトル缶と組み合わせる事で［請求項１］に記載の目的を有する容器。
【考案の詳細な説明】
【００１】
【考案の属する技術分野】
本考案は、それ自体がペットボトルキャップとしての機能を有し、又、市販されているボトル缶のキャップ部にはめ込む事で、主にスナック菓子類をはじめ多様途な物品を収納でき、特に食品と飲料を組み合わせた商品として販売する為の容器を提案するものである。
【００２】
【従来の技術】
消費者の購買行動として、ペットボトル飲料と同時にスナック菓子類等の食品を購入する事が多いが、それらは別個として購入されている。
【００３】
現状では、販売促進用のキャンペーン品を小袋などに収納し、ペットボトル首部に取り付ける事が広く行われている。
【００４】
【考案が解決しようとする課題】
しかし、上記のような従来の技術では、主にスナック菓子類などの食品とペットボトル若しくはボトル缶入り飲料を別個に購入する為、ペットボトル若しくはボトル缶の持つ携帯性が生かされてなく、また二品種の購入となり割高である。
【００５】
さらに、食品以外の販売促進用のキャンペーン品においても、小袋等への収納となり収納できる物品は限られている。
【００６】
【課題を解決するための手段】
本考案は上記のような従来の技術における課題を解消する事を目的とし、底部にペットボトルキャップの構造を有した容器又は、底部をボトル缶のキャップ部にはめ込む事で、飲料容器と一体化できる容器を提案するものである。
【００７】
底部をボトル缶のキャップ部にはめ込むか若しくは、底部に有する構造によりペットボトルキャップとして利用でき、主にスナック菓子類をはじめとする多用途な物品収納しボトル入り飲料と主にスナック菓子類を組み合わせた恒久的な商品として販売する為の容器の利用。
【００８】
【考案の実施の形態】
上記した本考案の具体的な実施形態について、添付図面に示すところに従って以下に説明する。
【００９】
図１の本体１は底部にペットボトルキャップの構造４を有しており、この容器自体をペットボトルキャップとして使用する。さらに２の半球形の蓋部材は透明のプラスチック製とする事で収納されている物品を外部より見る事ができ、本体１と組み合わせる事で球形となる。
【０１０】
図２の本体３は図１の本体１と同形状であるが、底部にはボトル缶のキャップ部と同寸法の窪み６を有しており、ボトル缶キャップ部にはめ込む事でボトル缶と一体化でき２の半球形の透明プラスッチック製の蓋部材を使用する事で本体と合わせ球形となる。
【０１１】
【考案の効果】
この容器により主にスナック菓子類付のボトル入り飲料を提供する事ができ、さらに、この容器とボトルが一体化している事によりペットボトル飲料若しくはボトル缶飲料のみの携帯時と変わらない携帯性利便さも有する事ができる。
【０１２】
また、商品陳列時にはペットボトル若しくはボトル缶上部に球形体を有し、他品とは大きく異なる形状の為、視覚的にも購買意欲を喚起し、かつ、収納内容が見える事でより多くの需要を生み出す効果も考えられる。
【図面の簡単な説明】
【図１】本考案による底部にペットボトルキャップの構造を有する多用途容器を示した説明図である。
【図２】本考案による底部をボトル缶キャップ部にはめ込む事で、ボトル缶と一体化できる多用途容器を示した説明図である。
【図３】本考案による［図１］、［図２］の容器をペットボトル若しくはボトル缶に一体化させた外観を示した説明図である。
【符号の説明】
１　底部ペットボトルキャップ式本体容器
２　透明プラスチック製の半球形蓋部材
３　底部ボトル缶キャップ部はめ込み式本体容器
４　本体１のペットボトルキャップ構造部
５　ペットボトルキャップリング
６　本体３のボトル缶キャップはめ込み用窪み
７　ペットボトル若しくはボトル缶本体
８　収納された、内容物
【図１】
0003097026.tif 000003
【図２】
0003097026.tif 000004
【図３】
0003097026.tif 000005
【手続補正書】
【提出日】平成15年5月12日(2003.5.12)
【手続補正１】
【補正対象書類名】明細書
【補正対象項目名】実用新案登録請求の範囲
【補正方法】変更
【補正の内容】
【実用新案登録請求の範囲】
【請求項１】
底部にペットボトルキャップの構造を有し、それ自体がペットボトルキャップと成りうる事ができ、主にスナック菓子類をはじめ多様途な物品等を収納しボトル飲料と組み合わせた商品として販売するための容器。
【請求項２】
底部にボトル缶のキャップと同じ形状の窪みを有し、ボトル缶と組み合わせる事ができ、主にスナック菓子類をはじめ多様途な物品等を収納しボトル飲料と組み合わせた商品として販売するための容器。
(57)【要約】　　　（修正有）【課題】本体前後部に設けた軸穴と軸棒が軸になり、これに取り付けて設けたコの字状の棒が左右両方に回転ができ、停止器具で棒の回転を停止させ、替え刃の斜め上で棒を止めて本体の峰と棒が皮膚をカバーしながら毛が剃れる技術面の安全と、衛生面を良くしたスイッチレザーの提供。【解決手段】スイッチレザー１は、本体２後部と柄７前部を軸棒４で連結し、本体２前部に軸穴３を設け、コの字状の棒５を回転可能に軸穴３と軸棒４に取り付け、柄７前部に停止器具８を設けで棒５の回転を停止させ、替え刃６の斜め上に平行に止まることを特徴とするスイッチレザーである。【選択図】　図１
0003097030.tif 000002
【実用新案登録請求の範囲】
【請求項１】
本考案は、本体後部と柄前部を軸棒で連結し、本体前部に軸穴を設け、コの字状の棒を回転可能に軸穴と軸棒に取り付け、柄前部に設けた停止器具を設けて棒の回転を停止させ、替え刃と平行に左右斜め上で止まることを特徴とする
スイッチレザー。
【考案の詳細な説明】
【産業上の利用分野】
本考案は、顔そり用に使用するスイッチレザーに関する。
【従来の技術】
従来のかみそりにおいては、刃の部分が丸出しになっているもの、刃の周りにカバーが付いたかみそりがあって、正剃り、逆剃り、押し剃り等の技術で使
用している。
【考案が解決しようとする問題点】
上記のかみそりは、刃が丸出しになっていて傷つける恐れがあり、又カバー付きのかみそりは、剃り毛がカバー内に入って、除去し難いのと衛生面に問題
点があった。
本考案は、このような事情に鑑みてなされたもので、本体後部と柄前部を軸棒で連結し、本体前部に軸穴を設け、軸穴と軸棒にコの字状の棒を取り付け、柄前部に停止器具を設けて棒の回転を停止させ、替え刃と平行に左右斜め上で
止まるスイッチレザーを提供することを目的とする。
【問題点を解決するための手段】
上記目的に沿う本考案に係るスイッチレザーは、本体前後部に設けた軸穴と軸棒にコの字状の棒を取り付け、柄前部に設けた停止器具で棒の回転を停止さ
せ、替え刃と平行に左右斜め上で止まるように構成されている。
【作用】
本考案に係るスイッチレザーは、本体前部に設けた軸穴と本体後部の軸棒にコの字状の棒を取り付けて設け、柄前部に設けた停止器具で棒の回転を停止さ
せ、替え刃の斜め上で左右同じように平行に止まるようになっている。
これによってそり本体を逆にしても、同じように棒が回転して、替え刃の斜
め上で平行に止まるようになる。
【実施例】
続いて添付した図面を参照しつつ本考案を具体化した実施例につき説明し、
本考案の理解に供する。
ここに第１図は本考案の一実施例に係るスイッチレザーの側面図、第２図は
正面図である。
第１図、第２図に示すように、本考案の実施例に係るスイッチレザーは、本体２後部と柄７前部を軸棒４で連結し、本体２前部に軸穴３を設け、コの字状の棒５を回転可能に軸穴３と軸棒４に取り付け、柄７前部に停止器具８を設け
て棒５の回転を停止させ、替え刃６の斜め上で止まるようになる。
従って、スイッチレザー１においては、コの字状の棒５が替え刃６を中心に停止器具８で棒５の回転を停止させ、替え刃６の左右両方斜め上で平行に止ま
るように構成され、替え刃６は取替えができる。
【考案の効果】
本考案に係るスイッチレザーは、以上の説明からのように、コの字状の棒によって、正剃り、逆剃りでも同じように替え刃の斜め上で平行に止まり、皮膚と刃の抵抗を柔らげ剃り毛をきれいに除去でき、衛生面を良くし、皮膚に傷つ
けることなく安心して技術ができる。
【図面の簡単な説明】
第１図は本考案の一実施例に係るスイッチレザーの側面図、第２図はスイッレザーの正面図である。
【符号の説明】
１…スイッチレザー、２…本体、３…軸穴、４…軸棒、５…棒、６…替え刃
、７…柄、８…停止器具
【図１】
0003097030.tif 000003
【図２】
0003097030.tif 000004
【手続補正書】
【提出日】平成15年5月23日(2003.5.23)
【手続補正１】
【補正対象書類名】明細書
【補正対象項目名】図面の簡単な説明
【補正方法】変更
【補正の内容】
【図面の簡単な説明】
【図１】図１は本考案の一実施例に係るスイッチレザーの側面図
【図２】図２はスイッレザーの正面図
【符号の説明】
１…スイッチレザー、２…本体、３…軸穴、４…軸捧、５…棒、６…替え刃、７…柄、８…停止器具
(57)【要約】　　　（修正有）【課題】採血，注射時静脈の存在が正確に見えるレンズ付駈血帯の提供。【解決手段】直径５ｃｍのレンズＡを包んだ柄Ｄを真横にし、その柄を高さ１５ｃｍの柱Ｂに取り付ける。そしてその柱を直角に巾広い板に又取り付ける。そしてその板を巾広い布Ｃに取り付ける。布は５ｃｍ巾，長さ３０ｃｍできつくぐるぐる巻いて面ファスナーで止める。そこでこの駈血帯を用いてレンズをのぞけば静脈の走行がはっきり見える。【選択図】　図２
0003097023.tif 000002
【実用新案登録請求の範囲】
【請求項１】
一定の高さに保ったレンズを有する駈血帯
【考案の詳細な説明】
【０００１】
［産業上の利用分野］
医療、衛生に関するものである。
【０００２】
［従来の技術］
元来医療において静脈に注射をしたり，採血をする場合には，駈血帯を用いて静脈をせき止め，静脈を膨らませ、注射針を差し込んでいたのである。そしてその静脈血をせき止める為には織物の紐又はゴム紐を用いており、それを縛るには、そのまま結んだり、あるいは端に留め金を用いたりしていたのである。
【０００３】
［本考案が解決しようとしている課題］
静脈に針をたてて採血又は注射をする場合には，静脈の中に針先をうまく入れる事が必要であるが，夕方など光が薄い場合，老眼になりかけた場合，静脈の存在場所がややぼやける時があるのである。その時は注射針をたてるのに時々失敗をする場合をみるのである。
【０００４】
［課題を解決する為の手段］
そこで採血や注射を失敗なくする為には，静脈が正確に見える事が必要となってくるのである。
【０００５】
静脈の走行や存在が正確に見える為には十分な光を与える事や拡大して見る事が大切となるのである。
【０００６】
そこで駈血帯を用いて静脈をせき止め，注射，採血をする場合に拡大鏡を用いて正確にその走行を確認すれば、その目的が達せられるのである。即ちレンズを一定の高さに支えた柱を立て、これを巾広い駈血帯に連結して用いるのである。そうすれば駈地帯を用いて静脈を膨らませ，又レンズでその位地を正確に把握し針を立てれば失敗が少なくなるのである。
【０００７】
［実施例］
先ず直径５ｃｍのレンズを包んだ柄を真横にし、その柄を高さ１５ｃｍの柱に取り付ける。そしてその柱を直角に巾広い板に又取り付ける。（図）の如く。そしてその板を巾広い布に取り付ける。布は５ｃｍ巾，長さ３０ｃｍできつくぐるぐる巻いてマジックテープで止める。そこでこの駈血帯を用いてレンズをのぞけば静脈の走行がはっきり見えるのである。
［考案の効果］
本考案の駈血帯を用いると光の薄い夕方でも又やや老眼になりかけた人でも静脈の走行がはっきりと見え，採血注射時の失敗が少なくなるのである。製作は簡単安価である。
【図面の簡単な説明】
0003097023.tif 000003
【図１】
0003097023.tif 000004
【図２】
0003097023.tif 000005
【図３】
0003097023.tif 000006
【手続補正書】
【提出日】平成15年4月17日(2003.4.17)
【手続補正１】
【補正対象書類名】明細書
【補正対象項目名】実用新案登録請求の範囲
【補正方法】変更
【補正の内容】
【実用新案登録請求の範囲】
【請求項１】
把手を持つレンズを上部につけた立柱の下部に帯状の紐を付着させた駈血帯。
(57)【要約】　　　（修正有）【課題】車の背面にあるドアや車のトランクの蓋を、全く手を汚す事なく、簡便な方法で、閉じられるようにする。【解決手段】はがき大の硬質材の薄板Ａ，Ｂを、その各々の長い辺で付き合わせ、その部分を回転軸Ｃ、Ｃ’とした、角度Ｄにして０°〜１８０°まで開閉可能な蝶番Ｅ，Ｅ’で連結構成する。これを閉じた状態で且つ回転軸Ｃ、Ｃ’が上になるよう車のドアの外壁Ｈに貼り付ける。これで、車の扉に、開閉可能な防塵防埃シェルターＡを設けることになり、シェルターに覆われた部分に常に汚れることのないスペースを確保する。【選択図】図１
0003097008.tif 000002
【実用新案登録請求の範囲】
【請求項１】
ハガキ大の硬質材の薄板２枚（１Ａ、１Ｂ）を長辺同志を付き合わせ、この長辺を回転軸（１Ｃ、１Ｃ’）とし、角度にして　（１Ｄ）０°〜１８０°　まで開閉できるように、硬質材蝶番もしくは、プラスチック、塩化ビニール、ゴム等の反復曲折可能な物質（１Ｅ，Ｅ’）を使って、一体として連結された構成になっていることを特徴とする、車の扉等に用いる防塵防埃シェルター
【請求項２】
２枚の薄板のうち一方（２Ａ）の下部中央に開閉時の手がかり用の小爪（２Ｆ）を設けた、請求項１記載の車の扉等に用いる防塵防埃シェルター。
【請求項３】
２枚の薄板のうち一方（３Ｂ，４Ｂ）の幅を極端に細くして、もう一方の薄板（３Ａ，４Ａ）の内側下部に永久磁石（３Ｇ，４Ｇ）を設けた、請求項１記載の車の扉等に用いる防塵防埃シェルター
【請求項４】
２枚の薄板のうち一方（請求項１の図上の１Ｂ）に代えて車のドアの外部鉄板（５Ｈ）を用い、直かに蝶番等（５Ｅ，５Ｅ’）を使っていま一方の薄板（５Ａ）と一本化して連結した、請求項１記載の車の扉等に用いる防塵防埃シェルター。
【考案の詳細な説明】
【０００１】
【考案の属する分野】
本考案は汚れた自動車の扉等を、外部から全く指先を汚さずに閉じるための防塵防埃シェルターに関するものである。
【０００２】
【従来の技術】
車の背面のドア、いわゆる５番目のドアやトランクの蓋は、車の走行に際して巻き上がった塵埃が上から降りかかり、すぐに土埃で汚れてしまう。
また、これらの扉や蓋は構造上、外から押して閉じるようになっているため、どうしても、泥で汚れた部分に手を触れて、しかも力をこめて閉じなければならない。その為、開閉の度に、殆どの人が、指先の汚れる不快感にさいなまれている。現在のところ、これを克服する簡便な技術は皆無である。
【０００３】
【考案が解決しようとする課題】
泥や塵埃でよごれている車の扉やトランクの蓋を車外から全く手を汚すことなく閉じられる方法を提供する。しかも、自動ドア化するなどと云った大がかりなものではなく、簡便な方法で行いたい。
【０００４】
【課題を解決するための手段】
先ず、解決手段に至る考え方について述べる。雨の日に車が未だ汚れていないうちに、枯葉が一枚、水分で車の扉に貼り付いた場面を想像する。このままの状態なら、車が汚れても、落葉をはがせば、落葉の面積だけ汚れていないクリーンな部分が現れる。つまり、落葉が防塵防埃のシェルターとなっている訳である。この汚れていない部分に手を触れて、車の扉を押し閉じれば、手は汚れずに済む。この落葉に替わるものが考案されれば、課題解決の手段となり得る。しかも可能な限り手軽で、反復使用に耐え、尚且つ使用後再び自動的にシェルターとして貼りついた状態になるように構成されていれば更に良い。以上のすべての条件をみたした落葉状のものが、本考案の課題解決の手段である。
【０００５】
ハガキ大の硬質材の薄板２枚（１Ａ，１Ｂ）を各々の長辺を付き合わせて、その辺を回転軸（１Ｃ、１Ｃ’）とし蝶番（１Ｅ，１Ｅ’）を使い、角度（１Ｄ）にして０°〜１８０°まで開閉可能な状態に構成する。
これを蝶番が閉じたままの状態で、回転軸（１Ｃ、１Ｃ’）が上側になる様、つまり横書き名刺の要領で車の扉の外壁に貼り付ける。この状態では、手前側に位置する薄板（１Ａ）だけが、上下に開閉する。
以上の様に車の扉に設けられた開閉可能な薄板（１Ａ）が課題解決の具体的手段として機能する。
【０００６】
【本考案の実施の形態】
以下本考案の実施の形態を実施例にもとずき図面を参照して説明する。
図１は、本考案の車のドアの防塵防埃シェルターの見取図である。ハガキ大の２枚の長方形の薄板（１Ａ，１Ｂ）を各々の長い辺で付き合わせ、その部分を回転軸（１Ｃ、１Ｃ’）とした、角度にして０°から１８０°開閉可能な蝶番状（１Ｅ、１Ｅ’）に構成する。これを閉じた状態で且つ回転軸（１Ｃ、１Ｃ’）が上側になるよう、いわゆる横書き名刺の要領で車の扉（１Ｆ）の外壁に取り付ける。つまり、車の扉の外壁に開閉可能な薄板（１Ａ）を設け、この薄板（１Ａ）を防塵防埃シェルターとして機能させる事により、常に汚れることのないスペースが確保出来るような状態で実施される。
【０００７】
前項実施形態で述べた説明に忠実に従い、車の背面の扉及び車のトランクの蓋の外壁下部に本案を装着した。
本案薄板（１Ａ）の下には常に全く汚れていない部分が確保されていて、従って指先を汚す事なく扉を閉じることが出来る他、請求項３で述べた永久磁石を用いたものでは扉を閉じた瞬間、ただ手を離すだけで、慣性の法則と永久磁石（５Ｇ）の力でシェルターの薄板が車の扉に吸着し、自動的に閉じて以後の汚れを防ぐなど良好な結果がえられた。
【０００８】
【考案の効果】
本考案は上述の通りに構成されているので、次のような効果を奏する。
１、車の扉やトランクの表面が手のつけられない程汚れたときは、同様に本案の外側の薄板（１Ａ）の外部も汚れる。しかし、本案の外側の薄板（１Ａ）を開くと、そこには常に汚れていないクリーンなスペースが確保されている。
尚、車の後部に巻きあがる塵埃は、上から降りかかるように車に付着するため、薄板（１Ａ）の下部厚味の部分は全然汚れないため、指先一本で、薄板（１Ａ）を下から開く動作では、指先は全く汚れる虞がない。
２、１で確保されたクリーンなスペースに手を触れて、車の扉などを閉じれば、常に手を汚すことがないだけでなく、扉が閉じた瞬間、シェルターも自動的に元に戻り、次の使用に備えている。
３、簡便で経費がかからない。
【図面の簡単な説明】
【図１】本案原型（請求項１）の半開き状態の時の斜視図
【図２】請求項２の半開き状態の時の斜視図
【図３】請求項３の半開き状態の時の斜視図
【図４】図３イ、イ’に於ける切断面図
【図５】請求項４の半開き状態の斜視図
【図６】請求項４の半開き状態の側面図
【図７】本案を実施したときの、一例見取図
【符号の説明】
Ａ．２枚の薄板のうち、動く方の板、動板
Ｂ．２枚の薄板のうち、基板（動かない方）
Ｃ．２枚の薄板の回転軸の方向
Ｄ．２枚の薄板の開く角度
Ｅ．蝶番、もしくは、蝶番の役目を果すもの
Ｆ．手がかりとなる爪
Ｇ．永久磁石
Ｈ．自動車の扉の表面鉄板
Ｉ．自動車のナンバープレート
Ｊ．自動車のドアに用いる防塵防埃シェルター
イ．切図の部位
イ’．〃
【図１】
0003097008.tif 000003
【図２】
0003097008.tif 000004
【図３】
0003097008.tif 000005
【図４】
0003097008.tif 000006
【図５】
0003097008.tif 000007
【図６】
0003097008.tif 000008
【図７】
0003097008.tif 000009
(57)【要約】【課題】現在ＤＯＳ／Ｖパーツとして市販のビデオカードやマザーボードを搭載して、ノート型パソコンを組立て、出来ること。【解決手段】ビデオカードをマザーボードに対して平行に取付けるため、９０度取付方向変換できる変換手段を介在させる。【選択図】　　図１
0003097007.tif 000002
【実用新案登録請求の範囲】
【請求項１】
ビデオカード（２）の取付方向を９０度変えマザーボード（６）と平行に収納することを可能とする取付方向変換手段（３）を有することを特徴とする構造を持つノート型パソコン自作用ケース。
【考案の詳細な説明】
【０００１】
【考案の属する技術分野】
自作用の一般市販のパソコン部品（いわゆるＤＯＳ／Ｖパーツ）を使用して、ノート型パソコンを組立てるケースの構造に関する。
【０００２】
【従来の技術】
タワー型（デスクトップ型）パソコンには、個人が自作用パソコン部品（以下、ＤＯＳ／Ｖパーツ）を自由に選び、組立てられる種類がある。しかし、ノート型パソコンとして、ＤＯＳ／Ｖパーツを組込むことのできるケースがなかった。
【０００３】
【考案が解決しようとする課題】
ＤＯＳ／Ｖパーツとして、現在市販のビデオカード（２）（グラフィックスカードとも云う）は、マザーボード（６）上の取付スロット（５）に垂直に刺込み取付けるようにできている。このためノート型パソコンの形状に組立てることができなかった。
【０００４】
【課題を解決するための手段】
本考案のケースは、ビデオカード（２）をマザーボード（６）に対し、平行に取付けるため９０度取付方向変換手段（３）を用意する。
【０００５】
【考案の実施の形態】
マザーボード（６）上の従来のビデオカード取付スロット（５）に刺し込み可能な端子部をもち、かつ取付スロット（５）と同じ規格（仕様）のコネクター（４）をハンダ付けなどで固定した９０度変換のためのプリント基板（３）を設ける。このプリント基板（３）は１０数ミリの高さで、製作可能なため、ビデオカード（２）を挿入し、ノート型パソコンとして組上げた状態でもケースの厚みが気にならない。又マザーボードに直交のプリント基板（３）は、業界用語でライザカードということがある。
【０００６】
【実施例】
実施例について、図面の図１を参照して説明する。マザーボード（６）は、ノート型パソコンの部品収納用下箱部（７）の底面に図１のように固定する。電源部（８）やＣＤ−ＲＯＭ（９）などの部品も図のように固定する。上方に開いた部分は、液晶（ＬＣＤ）パネルの収納上箱部（１）である。
【０００７】
マザーボード（６）上の従来のビデオカード取付スロット（５）に図２の刺し込み端子部（１１）を挿入し、取付けたライザカード（３）とそれにハンダ付け固定したコネクター（スロット）（４）との角度が９０度と直交するため、ビデオカード（２）は、マザーボード（６）と平行に取付けられるようになった。このため、自作用のＤＯＳ／Ｖパーツ類は、ケース下箱部（７）に収納可能となった。
【０００８】
【考案の効果】
従来の市販ノートパソコンは小型化が進み、携帯には便利だが、性能面でタワー型（デスクトップ型）パソコンより一段劣るのが、通常であった。本考案の構造を持つ自作用ノートケースが提供されることにより、３次元（３Ｄ）グラフィックスの性能や高性能機能のパーツ採用性能面でも見劣りしないノートパソコンが自作可能となるなどの効果を奏する。
【図面の簡単な説明】
【図１】ノート型パソコン自作用ケースの構造を示す外観斜視図。
【図２】本考案における部分拡大斜視図。
【符号の説明】
１．　液晶（ＬＣＤ）パネルの収納上箱部
２．　市販ビデオカード（又は、グラフィックカード）
３．　ライザカード（プリント基板）
４．　ビデオカード取付用スロット（コネクター）
５．　マザーボードに既設のビデオカード用スロット（コネクター）
６．　市販マザーボード（ＣＰＵ基板、メインボード）
７．　部品収納用下箱部
８．　パソコン電源部
９．　ＣＤ−ＲＯＭ
１０．　液晶（ＬＣＤ）収納上箱（１）開閉用ちょうつがい
１１．　差し込み端子部
【図１】
0003097007.tif 000003
【図２】
0003097007.tif 000004
(57)【要約】　　　（修正有）【課題】汚れが固着しにくく、清潔に保つことが出来る。【解決手段】鉛、鉛化合物又はタングステン、スズからなる重金属を含む放射線遮蔽シート１の表を柔軟な被覆シート２で被覆、縫合され、外表面を疎水性のアクリル樹脂及びまたはウレタン樹脂等からなる汚れ防止被膜３で被服した。【選択図】　　　　図２
0003097006.tif 000002
【実用新案登録請求の範囲】
【請求項１】
鉛、鉛化合物又はタングステン、スズからなる重金属を含む放射線遮蔽シートまたはその積層体の表を柔軟な被覆シートで被覆、縫合された放射線防護衣において、被覆シートの外表面を疎水性の汚れ防止被膜で被覆したことを特徴とする放射線防護衣。
【請求項２】
上記の疎水性の汚れ防止被膜が、アクリル樹脂及びまたはウレタン樹脂で構成されることを特徴とする請求項１に記載の放射線防護衣。
【考案の詳細な説明】
【０００１】
【考案の属する技術分野】
本考案は、医療分野におけるＸ線撮影時の技術者およびその補助者や原子力産業分野における原子力発電所の作業員をＸ線、低エネルギーのγ線、β線等の放射線から保護するため等に使用される放射線防護衣に関する。
【０００２】
【従来の技術】
放射線防護衣は鉛、鉛化合物又はタングステン、スズからなる重金属を主材とする放射線遮蔽シートまたはその積層体の表面に合成樹脂、繊維、ゴム、又はこれらの複合体の被覆シートを被覆してなる放射線防護材の裁断片を縫製して、エプロン、コート、スカート、マント等の衣服としたものである。
【０００３】
従来、放射線防護衣の構成は図１の素材断面図に示すように、中央に鉛、鉛化合物又はタングステン、スズからなる重金属を熱可塑性樹脂と混合してシート化された放射線防護シートを単層または複層に位置させ、その表に衣服感覚をもたせるために、合成樹脂、繊維、ゴム、又はこれらの複合体の被覆シートが施された形となっていた。
【０００４】
【考案が解決しようとする課題】
しかしながら、放射線を遮蔽すること、衣服感覚をもたせることの二つの機能のみの場合、限られた放射線機器等の取扱時の作業においては問題ないが、実際現場では放射線診断中又は手術中において、水性の造影剤および血液等が付着し、汚れを招くケースがしばしばあり、さらに放射線防護衣はその構造上、通常の衣類の様に容易に洗濯ができないため、汚れが染み付いてしまうと言う問題があり、改善が望まれていた。そこで本考案は、汚れが発生した際、簡易にふき取りができまた簡単な水洗浄で汚れが固着しにくく、清潔に保つことが出来る放射線防護衣を提供することを目的とする。
【０００５】
【課題を解決するための手段】
上記目的を達成するために、本考案は、鉛又は鉛化合物又はタングステン、スズからなる重金属を主材とする放射線遮蔽シートまたはその積層体の表を柔軟な被覆シートで被覆、縫合された放射線防護衣において、着用時に外側にあたる被覆シートの外表面を疎水性の汚れ防止被膜で被服したことを特徴としており、又上記の疎水性の汚れ防止被膜が、アクリル樹脂及びまたはウレタン樹脂で構成されることを特徴とする放射線防護衣。
【０００６】
【考案の実施の形態】
本考案の放射線防護衣に用いられる放射線防護材は、従来と同様なものその他放射線防護機能を有するものが使用される。即ち、鉛粉又は亜鉛化鉛、一酸化鉛、二酸化鉛、三酸化四鉛、四酸化二鉛、四酸化三鉛、塩基性珪酸塩、沃化鉛等の鉛化合物、更にまたタングステン、スズからなる重金属等をポリ塩化ビニル、塩化ビニル−アクリル産エステル共重合体、ナイロン、ポリエステル、ポリ酢酸ビニル等の熱可塑性樹脂やウレタンゴム、未加硫ブチルゴム、スチレンブタジエンゴム等と混合し、必要に応じて可塑材を添加してなる混合物をシート化してなる放射線遮蔽シートまたはその積層体で構成される。さらにその両表面は、基本構造としては、図１に示される様な従来の素材断面図同様に、天然繊維やポリエステル、ナイロン等の合成樹脂繊維を用いた織布、不織布或いはそれらをポリエチレン、ポリ酢酸ビニル、エチレン−酢酸ビニル共重合体やエラストマー等で表面加工したもの、又はゴム等からなるの被覆シートで被覆されている。
【０００７】
本考案においては、図１の外側被覆シートの汚れ固着を防止する為、図２の素材断面図に示される様に、外側被覆シートの外表面にアクリル樹脂又はウレタン樹脂コート液を用い、グラビアコーター法等のコーティング技術で疎水性の汚れ防止被膜３が施されている。
【０００８】
このようにして得られた放射線遮蔽シート１、被覆シート２及び汚れ防止被膜３からなる素材を用いて、目的の放射線防護衣の設計形状にそって、裁断、縫製をおこなって、本考案の目的の放射線防護衣（エプロン、コート、スカート、マント等）を作製することができる。
【０００９】
【実施例】
以下、本考案のエプロン型放射線防護衣での実施例を示す。
放射線防護衣に用いられる放射線防護材は、タングステン、スズからなる重金属等にポリ塩化ビニルと可塑材とを混合し、所定の方法でシートを作製し、図２に示される様に、素材の中央に位置させた。
【００１０】
次にその表を被覆する被覆シートについてはポリエチレン等で表面加工した天然繊維を用い、また本考案の外側被覆シートの外表面には、アクリル樹脂コート液を用いて、グラビアコーター法で疎水化表面処理を施した。このようにして得られた放射線遮蔽シート１、被覆シート２及び汚れ防止被膜３からなる素材を用いて、エプロンの形状に裁断、縫製をおこなって、本考案実施例の疎水性機能を持たせエプロン型放射線防護衣を作製した。
【００１１】
以上の様な手順で作製された、エプロン型放射線防護衣を用いて、放射線診断及び手術等の現場作業を行ったところ、従来同様エプロンの腹部に汚れを起こす液滴等がたくさん付着したが、簡単に払い又は拭き取ることができ、また付着の強い汚れについても簡単な水洗浄で除くことができ、従来の様な汚れが染み込み固着することはなかった。
【００１２】
【考案の効果】
本考案は以上の様に、放射線防護衣の外側被覆シートの外表面を疎水性の汚れ防止被膜で被服することにより、汚れが発生した際、容易にふき取りができ又簡単な水洗浄で汚れを除くことができ、放射線防護衣を清潔に保つことが出来る。
【図面の簡単な説明】
図１及び図２は本考案に係る放射線防護衣の素材構造を示す断面図で、図１は従来の仕様の説明図、第図２は本考案の仕様の説明図である。
【符号の説明】
１…放射線遮蔽シート、２…被覆シート、３…汚れ防止被膜
【図１】
0003097006.tif 000003
【図２】
0003097006.tif 000004
(57)【要約】      （修正有）【課題】停電にも、冠水にも強いポンプを提供する。【解決手段】本体に入口２と出口３を設け、本体の内部の中心に羽車軸５によって固定された羽車４を設置する。【選択図】図９
0003105608.tif 000002
【実用新案登録請求の範囲】
【請求項１】
本体（１）に入口（２）と出口（３）を設け、本体（１）の内部の中心に羽車軸（５）によって固定された羽車（４）を設置したポンプ。
【考案の詳細な説明】
【考案の詳細な説明】
【技術分野】
【０００１】本考案は、本体に入口と出口を設け、その本体内部に羽車を設け、その羽車は、羽車軸によって固定されたポンプに関する。
【背景技術】
【０００２】従来、ポンプは電動用モーター及び、エンジンモーターで作動しているため、停電状態になると電動モーターが、冠水状態になると電動用モーター及びエンジンモーターが作動できなくなるという欠点があった。
【考案が解決しようとする課題】
【０００３】本案は、その欠点を除いて、停電にも、冠水にも強いポンプを、開発しようとするものである。
【課題を解決するための手段】
【０００４】その解決手段を図面を追いながら説明すれば、本体（１）の一か所に入口（２）を設置し、他の箇所に出口（３）を設置する。
本体（１）の内部には、羽車（４）を設置し、その羽車（４）は羽車軸（５）によって固定される。
【考案を実施するための最良の形態】
【０００５】本案は、以上のような構造であるから、
羽車軸と風車をワイヤーシャフトでつなぐことにより、風車が回転すると、ワイヤーシャフトが風車の回転力を羽車軸に伝達し、それにより羽車が回転をする。羽車が回転することにより、水を入口から吸い込み、出口へと送り出す。
【考案の効果】
【０００６】したがって、自然災害時においても、その影響を受けることなく動作し続けることができ、常時水中においても使用することができる。
【図面の簡単な説明】
【０００７】
【図１】正面図
【図２】上面図
【図３】底面図
【図４】左側面図
【図５】右側面図
【図６】背面図
【図７】断面図
【図８】斜視図
【図９】フタを開けた状態を示す斜視図
【図１０】風車とワイヤーシャフトで接続した状態を示す図
【符号の説明】
１．本体
２．入口
３．出口
４．羽車
５．羽車軸
６．ワイヤーシャフト
７．風車
【図１】
0003105608.tif 000003
【図２】
0003105608.tif 000004
【図３】
0003105608.tif 000005
【図４】
0003105608.tif 000006
【図５】
0003105608.tif 000007
【図６】
0003105608.tif 000008
【図７】
0003105608.tif 000009
【図８】
0003105608.tif 000010
【図９】
0003105608.tif 000011
【図１０】
0003105608.tif 000012
(57)【要約】      （修正有）【課題】家屋の出入り口扉の戸締りを通常の方法に累加して強化する。【解決手段】適当な直径の小円板２を、扉５の鎖溝６に挿入して平板１を掛け、残余の小円板２が出入り口枠７などの不動箇所または扉５の内面に接触して平板１が揺るがないようにするのに必要なナット４の位置を予め調節のうえボルト３を固着する。平板１にはボルト３取り付け用の穴８を多数設けておき、扉５と出入り口枠７などの形状と鎖溝６の位置に関して、適した位置に適したボルト３を固着することができるようにする。【選択図】図２
0003105606.tif 000002
【実用新案登録請求の範囲】
【請求項１】
強固な平板の付属金具を家屋出入り口に枢着する扉の鎖溝に挿入することによって、当該平板が出入り口枠などの不動箇所と扉とに跨って近接して懸垂することを特徴とした、通常の戸締りに累加して使用できる、侵入防止強化用簡易錠。
【考案の詳細な説明】
【技術分野】
【０００１】  本考案は、強固な平板と付属金具からなる侵入防止強化のための簡易錠に関する
【背景技術】
【０００２】  家屋出入り口に枢着する扉は通常、扉に内蔵された錠を掛け、出入り口枠などの不動箇所に一端が固着する鎖の他端金具を扉の鎖溝に挿入する方法で盗賊などの侵入防止が計られている。
【考案の開示】
【考案が解決しようとする課題】
【０００３】  しかしながら近年、錠と鍵の構造に精通した盗賊が錠を開け、鎖を速やかに静かに切りまたは外して、家屋に侵入することが頻発している。
【課題を解決するための手段】
【０００４】  本考案は、強固な平板を付属金具よって扉の鎖溝に掛けて、当該平板と出入り口枠などの不動箇所と扉に跨って近接するように懸垂させ、家屋の外から扉を開けることを不可能にするものである。
【考案の効果】
【０００５】  上述によって前記の課題を解決するものであり、通常の戸締りに累加して使用できるので進入防止能力を大いに高めることができる。
【考案の実施のための最良の形態】
【０００６】  先端に小円板をきのこ状に固着した数本の棒状の金具を強固な平板に垂直に固着させ、一個の小円板を鎖溝に挿入して当該平板を懸垂させ、残余の金具によって扉または出入口枠などと平板の間を埋めさせる。
【実施例】
【０００７】  以下添付図面に従って一実施例を説明する。図１の立面図と図２の水平断面図に太線で示すように金属などの強固な平板１に、先端に数種の直径の小円板２がきのこ状に固着されているボルト３数個を付属金具として平板１に垂直にナット４で取り付けることができるように一セットとして提供するものである。【０００８】  適当な直径の小円板２を、図１と図２に細線で示す扉５の鎖溝６に挿入して平板１を掛け、残余の小円板２が出入り口枠７などの不動箇所または扉５の内面に接触して平板１が揺るがないようにするのに必要なナット４の位置を予め調節のうえボルト３を固着しておいて随時使用できるようにするものである。【０００９】  平板１にはボルト３取り付け用の穴８を多数設けておき、扉５と出入り口枠７などの形状と鎖溝６の位置に関して、適した位置に適したボルト３を固着することができるようにするものである。【００１０】  本考案においては、家屋の通常の出入り口に適合するように、平板１の大きさ、ボルト３取り付け用の穴８の数、数種の直径の小円板２を付着するボルト３の長さなどを定めて、一セットとして提供することとする。【００１１】  鎖溝６に挿入しない小円板２は扉５と出入り口７などとの接触面積を大きくして、それらの損傷を防止するのに役立つものである。
【考案の効果】
【００１２】  本考案に係る侵入防止強化簡易錠は、強固な平板に小円板が先端に固着しているボルト数個を取り付けた構成で、極めて安価に提供でき、使用者は出入口と扉の形状に応じて調整しておき、通常の戸締りに累加して使用することによって、盗賊などに侵入を確実に諦めさせることができ、実用性に優れたものである。
【図面の簡単な説明】
【００１３】
【図１】本考案に係る侵入防止強化簡易錠の使用時の立面図である。
【図２】本考案に係る侵入防止強化簡易錠の使用時の図１に示すＡ−Ａ水平断面図である。
【符号の説明】
【００１４】  １  平板
２  小円板
３  ボルト
４  ナット
５  扉
６  鎖溝
７  出入口枠
８  穴
【図１】
0003105606.tif 000003
【図２】
0003105606.tif 000004
(57)【要約】      （修正有）【課題】本考案は、超極細繊維布と樹脂シートの間に指圧緩衝用のスポンジを挿入することにより、凹凸のある対象物の表面に密着してその汚れを的確に除去する着脱式クリーナーを提供するものである。【解決手段】メガネ拭き用クロス等に利用されている超極細繊維布（マイクロファイバークロス）１に同様形状の何度でも対象物への貼付および着脱が可能な樹脂シート２を重ね合わせその中に、指圧緩衝用のスポンジ３を挿入し、所定の形状に合わせて周囲を接合してなる、着脱式クリーナー４。【選択図】図４
0003105610.tif 000002
【実用新案登録請求の範囲】
【請求項１】
メガネ拭き用クロス等に利用されている超極細繊維布（マイクロファイバークロス）（１）に同様形状の何度でも対象物への貼付および着脱が可能な樹脂シート（２）を重ね合わせその中に、指圧緩衝用のスポンジ（３）を挿入し、所定の形状に合わせて周囲を接合してなる、着脱式クリーナー（４）。
【考案の詳細な説明】
【考案の詳細な説明】
【産業上の利用分野】
【０００１】  この考案により、超極細繊維布（１）面で対象物の汚れを拭き取り、その際内部にスポンジ（３）が挿入されているため凹凸のある対象物の表面に密着してその汚れを的確に除去することができる。
【背景技術】
【０００２】  従来は、超極細繊維布（１）に樹脂シート（２）を張り合わせただけのものであり、指圧緩衝用のスポンジ（３）がなく立体感に乏しくまた、凹凸のある対象物の汚れの拭き取りが困難であった。
【考案が解決しようとする課題】
【０００３】  本考案は、超極細繊維布（１）で対象物の汚れを拭き取り、その際内部にスポンジ（３）を挿入しているため、凹凸のある対象物の表面に密着してその汚れを的確に除去することができるようにしたものである。
【課題を解決するための手段】
【０００４】  本考案は、従来の平らな薄い状態のクリーナーシートではなく、超極細繊維布（１）と樹脂シート（２）の間に指圧緩衝用のスポンジ（３）を挿入したものである。
【作用】
【０００５】  本考案は、前述の手段を講じたので、使用に際しては、通常は樹脂シート（２）の何度も貼付および着脱が可能な樹脂シートの仮接着面（５）を下面にして保管のため仮接着にあった状態から着脱式クリーナー（４）を剥がし、樹脂シートの仮接着面（５）に指を乗せ、対象物に反対側の超極細繊維布（１）面を押し当て、動かすことにより対象物の汚れを簡単に、且つ完全に拭き取ることができる。
【実施例】
【０００６】  以下、本考案の実施例を図面に従って説明する。【０００７】  図１のように超極細繊維布（１）の上に指圧緩衝用のスポンジ（３）をのせ、さらにその上に何度も着脱が可能な樹脂シートの仮接着面（５）を指圧緩衝用のスポンジ（３）と反対面に配置して樹脂シート（２）を重ね置き、超極細繊維布（１）、スポンジ（３）と樹脂シート（２）を所定の形状に沿って周囲を高周波ウエルダー加工による接合を行い、表側が超極細繊維布（１）で内部がスポンジ（３）、裏側が着脱式の樹脂シート（２）で裏面が樹脂シートの仮接着面（５）から成る、図３の着脱式クリーナー（４）が得られる。図２にウエルダー加工後の断面図を示す。図４に着脱式クリーナー（４）の断面斜視図を示す。【０００８】  上述の高周波ウエルダー加工による接合が弱い場合は、内部に熱溶解性の補助シートを挿入し接合を強化することもできる。【０００９】  表面の超極細繊維布（１）はポリエステル１００％またはポリエステル７５％とナイロン２５％の混紡繊維を利用すれば、ポリエステルの繊維の中に浸み込む昇華印刷が可能となり、インキジェット等の印刷によりフルカラーの印刷が可能となる。【００１０】  表面の超極細繊維布（１）にカラー印刷を施すことにより、キャラクター製品や、製品名をプリントすることにより販促品として着脱式クリーナー（４）を利用することができる。【００１１】  この着脱式クリーナー（４）を携帯電話に使用すれば、超極細繊維布（１）の拭き取り効果を利用して、着脱が可能な携帯画面クリーナーとして利用することができる。図５に本考案の使用状態での斜視図を示す。【００１２】  指圧緩衝用のスポンジ（３）を塩化ビニール以外のオレフィン系およびウレタン系の素材を利用することにより、脱塩ビの製品を供給することができる。【００１３】  本考案に使用する着脱が可能な樹脂シート（２）は、対象物への貼付および着脱を何度でもできるようにするため、樹脂シートの仮接着面（５）に多孔質のアクリルフォームの発泡体を利用することにより、粘着物資がない状態で圧着し貼付することが可能になり、のり残りがない状態で仮接着を保つことができる。【００１４】  指圧緩衝用のスポンジ（３）ではなく空気や液体物質を封入してスポンジの代わりにクッション性を付与させることもできる。【００１５】  本考案の着脱式クリーナー（４）は立体感があるので、平面状態のシートと違いキャラクター等の表現が豊かにでき、その点でも利用価値が高いものと推察される。
【考案の効果】
【００１６】  前述したように、スポンジが挿入された着脱式クリーナー（４）により、凹凸部のある対象物に対しても、汚れ除去を効率よくすることができる。
【図面の簡単な説明】
【図１】着脱式クリーナー（４）の加工前断面図
【図２】着脱式クリーナー（４）の加工後断面図
【図３】着脱式クリーナー（４）の斜視図
【図４】着脱式クリーナー（４）の断面斜視図
【図５】本考案構成の使用状態での斜視図
【符号の説明】
１．  超極細繊維布
２．  樹脂シート
３．  スポンジ
４．  着脱式クリーナー
５．  樹脂シートの仮接着面
６．  携帯電話
【図１】
0003105610.tif 000003
【図２】
0003105610.tif 000004
【図３】
0003105610.tif 000005
【図４】
0003105610.tif 000006
【図５】
0003105610.tif 000007
(57)【要約】【課題】現状の一般の掃除機で、室内空間に音楽を再生しながら掃除機を使用すると、掃除機の運転音が障害になり、良質な音楽を聴ききながら掃除をすることが困難である。また、音楽再生機器の無い場所では、音楽を聴きながら掃除機を使用することができない。【解決手段】  １掃除機本体に２音楽再生装置を装備し、３ヘッドホン等を接続することで様々な場所へ移動しても、良質な音楽を聴きながら掃除機の使用が可能になる。【選択図】  図１
0003105673.tif 000002
【実用新案登録請求の範囲】
【請求項１】
掃除機の１掃除機本体に、２音楽再生装置を装備する。２音楽再生装置に３ヘッドホン等を接続して、音楽を聴けることを特徴とした掃除機。掃除機の運転音がしていても、良質の音楽を聴きながら、掃除機の使用を可能にした。また、様々な場所に移動しても、音楽を聴きながら掃除機を使用することを可能にした。
【考案の詳細な説明】
【技術分野】
【０００１】本考案は、ヘッドホン等で良質の音楽を聴きながら、快適に掃除ができるための掃除機に関するものである。
【背景技術】
【０００２】  室内空間に、ＣＤプレーヤー等の一般の音楽再生機器で音楽を再生しながら、同時に掃除機を使用する。
【考案の開示】
【考案が解決しようとする課題】
【０００３】一般の音楽再生機器で室内空間に音楽を再生しながら掃除機を使用すると、掃除機の運転音が障害になるため、良質な音楽を聴きながら掃除をすることは困難である。【０００４】また、家屋内の様々な場所へ掃除機を移動し使用するため、音楽再生機器の無い場所では音楽を聴きながら掃除をすることが困難である。
【課題を解決するための手段】
【０００５】本考案は、掃除機本体にカセットプレーヤー、ＣＤプレーヤー、ＭＤプレーヤーなどの音楽再生装置を装備し、ヘッドホンまたはイヤホン（以下ヘッドホン等）を接続することで音楽を聴けることを主要な特徴とする。
【考案の効果】
【０００６】本考案の掃除機は、１掃除機本体に装備された２音楽再生装置に、３ヘッドホン等を接続して音楽を聴けるため、良質な音楽を聴きながら掃除機を使用することが可能である。【０００７】また、１掃除機本体に２音楽再生装置が装備されているため、家屋内を移動して掃除をする場合でも、様々な場所で音楽を聴きながら掃除機を使用することが可能である。
【考案を実施するための最良の形態】
【０００８】１掃除機本体に、３ヘッドホン等が接続可能な２音楽再生装置を装備する。
【実施例】
【０００９】１掃除機本体に装備された２音楽再生装置で音楽を再生し、３ヘッドホン等を接続して音楽を聴けば、様々な場所へ移動しても、良質な音楽を聴きながら掃除ができる。
【産業上の利用可能性】
【００１０】掃除機に適用できる。
【図面の簡単な説明】
【００１１】
【図１】キャスター型の掃除機本体に音楽再生装置のある掃除機を示した説明図である。
【符号の説明】
【００１２】１  掃除機本体
２  音楽再生装置
３  ヘッドホン
４  ホース
【図２】
スティック型の掃除機本体に音楽再生装置のある掃除機を示した説明図である。
【符号の説明】
【００１３】１  掃除機本体
２  音楽再生装置
３  ヘッドホン
【図３】
ハンディ型の掃除機本体に音楽再生装置のある掃除機を示した説明図である。
【符号の説明】
【００１４】１  掃除機本体
２  音楽再生装置
３  ヘッドホン
【図１】
0003105673.tif 000003
【図２】
0003105673.tif 000004
【図３】
0003105673.tif 000005
【手続補正書】
【提出日】平成16年7月13日(2004.7.13)
【手続補正２】
【補正対象書類名】実用新案登録請求の範囲
【補正対象項目名】全文
【補正方法】変更
【補正の内容】
【実用新案登録請求の範囲】
【請求項１】
掃除機本体１に、音楽再生装置２を装備し、その音楽再生装置２にヘッドホン等３を接続することを特徴とする音楽再生装置付の掃除機。
(57)【要約】【課題】  マウスにプログラム終了ボタンをつけたワンタッチ終了ボタン付きマウスを提供する。【解決手段】  マウスの右クリックと左クリックの中央より少し下に指が容易に滑り込ませれるような構造のボタンを設け、そのボタンを押すとページなどのプログラムが終了できることを特徴とするマウス。【選択図】  図１
0003105672.tif 000002
【実用新案登録請求の範囲】
【請求項１】
マウスの右クリックと左クリックの中央より少し下に指が容易に滑り込ませれるような構造のボタンを設け、そのボタンを押すとページなどのプログラムが終了できることを特徴とするマウス。
【考案の詳細な説明】
【技術分野】
【０００１】  本考案は、マウスにプログラム終了ボタンをつけたワンタッチ終了ボタン付きマウスに関するものである。
【背景技術】
【０００２】  従来、マウスの少しの動きでカーソル・キーを画面全体に動かせるマウスがあった。
【考案の開示】
【考案を解決しようとする課題】
【０００３】  そのために次のような問題点があった。
（イ）ページなどのプログラムを閉じるボタンはページの右上の隅っこにあるので、押そうとするときにマウスの動かせるスペースをこえてしまうことがあり、マウスを置きなおすなどしなければならなかったので不便だった。
本考案は、以上の問題点を解決するためのものである。
【課題を解決するための手段】
【０００４】  マウスの右クリックと左クリックの中央より少し下に指が容易に滑り込ませられるような構造のボタンを設ける。そのボタンを押すとページなどのプログラムが終了できる仕組みを備える。以上を特徴とするマウスである。
【考案の効果】
【０００５】  指を滑り込ませられるような構造のボタンであるために、手を少しずらすだけで押しやすく、ページなどのプログラムを閉じるボタンにカーソルを動かす手間が省け、速く正確に終了させることができる。
【考案を実施するための最良の形態】
【０００６】  以下、本考案の実施の形態を説明する。
（イ）マウス本体（１）の右クリックと左クリックの中央より少し下にプログラム終了ボタン（２）を設ける。
（ロ）コード（３）をキーボードに接続し、プログラム終了ボタン（２）とキーボードのＡｌｔ＋Ｆ４機能を連動させるようにする。
本案は以上のような構造でこれを使用するときは、通常のマウスを使う手の状態から少し手をずらし、人差し指（４）でプログラム終了ボタン（２）をくぼみに滑り込ませるような感じで押す。すると、マウス本体（１）からコード（３）を通じてキーボードに伝わりＡｌｔ＋Ｆ４機能が作動するので、ページなどのプログラムが終了する。
【図面の簡単な説明】
【０００７】
【図１】本考案の斜視図
【図２】本考案の使用状態を示す側面図
【符号の説明】
【０００８】１マウス本体
２プログラム終了ボタン
３コード
４人差し指
【図１】
0003105672.tif 000003
【図２】
0003105672.tif 000004
【手続補正書】
【提出日】平成16年7月14日(2004.7.14)
【手続補正１】
【補正対象書類名】実用新案登録請求の範囲
【補正対象項目名】全文
【補正方法】変更
【補正の内容】
【実用新案登録請求の範囲】
【請求項１】
・マウスの右クリックと左クリックの中央より少し下に、手前に向かって緩やかな傾斜を直径１．５センチくらいの大きさの窪みにつけて、その中にボタンを設け、そのボタンを押すとキーボードのＡｌｔ＋Ｆ４機能が作動し、ページなどのプログラムが終了できることを特徴とするワンタッチ終了ボタン付きマウス。
【手続補正２】
【補正対象書類名】明細書
【補正対象項目名】０００４
【補正方法】変更
【補正の内容】
【０００４】マウスの右クリックと左クリックの中央より少し下に、手前に向かって緩やかな傾斜を指が容易に入る直径１．５センチくらいの大きさの窪みにつける。その中にボタンを設ける。そのボタンを押すとマウスのコードからキーボードに伝わって、Ａｌｔ＋Ｆ４機能が作動し、ページなどのプログラムが終了できる。以上を特徴とするワンタッチ終了ボタン付きマウスである。
(57)【要約】【課題】  本考案は、ブラインドの拭き掃除の効率と確実性を両立させる為の低価格な器具を提供する。【解決手段】  本考案は、本体の基盤となる板材の片面に、本体を手の平に装着させて固定させる為のハンドホルダーを設け、その反対側の一面に滑り止めシートを設ける事により、ブラインドの拭き掃除をする際にブラインドを背面から支持し、固定する為の補助板として役立つ。【選択図】  図１
0003105674.tif 000002
【実用新案登録請求の範囲】
【請求項１】
板材の片面に、本体を手に装着させる為のハンドホルダーを設け、反対側の一面に、滑り止めシートを設けたブラインド拭き掃除補助板。
【考案の詳細な説明】
【技術分野】
【０００１】  本考案は、ブラインド掃除の効率と確実性を両立させる為の器具に関するものである。
【背景技術】
【０００２】  ブラインドの掃除に関して数多くの器具が発明、又は、考案されているが、それらは構造が複雑な為にコストが高そうなものや、装置が大掛かりで手軽さに欠けるものが殆どである。中には、特許公開２００３−３４３１７８のブラインド掃除具のように、ブラインドの両面を同時に拭く事が出来て作業効率が大変良く、コストも高くなさそうなものもあるが、これは、構造上ブラインドの羽根に加わる力が弱いので、汚れの落ち具合が良くないという欠点がある。
【考案の開示】
【考案が解決しようとする課題】
【０００３】  ブラインド掃除の効率と確実性を両立させる為の低価格な器具を提供する。
【課題を解決するための手段】
【０００４】  まず、確実性を上げる為には雑巾等を手に持って直接拭いた方が、対象物に直接力が加わりやすいので良い。この事を踏まえて、本考案は、ブラインドを雑巾等で拭く際に、そのブラインドを反対側の面から支持し固定する為の器具として、板材の片面に本体を手に装着させる為のハンドホルダーを設け、その反対側の面には本体とブラインドが滑らないようにする為の滑り止めのシートを設けたものである。
【考案の効果】
【０００５】  ブラインドを雑巾等で拭く際に、それを本考案のブラインド拭き掃除補助板で背面から支持すると、ブラインドの羽根がふにゃふにゃと撓むことなく平らな状態に保たれ、更に、力を加えて強くゴシゴシと拭いても、その動きと同時にブラインドが動いてしまうという現象が、滑り止めシートによって防止される。このように、ブラインドの汚れを拭くという作業の効率と確実性が両立でき、また、構造が極めて単純であるからコストも抑えられる。
【考案を実施するための最良の形態】
【０００６】  本体の面積を人の手より大きめにし、その片面には、手の平を本体に密着させた状態で固定できるホルダーを設ける。その反対側の面には、全面に滑り止めシートを設ける。
【図面の簡単な説明】
【０００７】
【図１】本考案の本体である。
【図２】図１を反対側から見た図である。
【図３】本考案の本体の側面図である。
【図４】使用状態を示す参考図である。
【図５】使用状態を示す平面図である。
【符号の説明】
【０００８】１  本考案本体
２  板材
３  ハンドホルダー
４  滑り止めシート
５  ブラインド
６  雑巾
７  左手
８  右手
【図１】
0003105674.tif 000003
【図２】
0003105674.tif 000004
【図３】
0003105674.tif 000005
【図４】
0003105674.tif 000006
【図５】
0003105674.tif 000007